(57)【特許請求の範囲】
【請求項１】
前側に開口部を有する筐体と、
前記開口部を開閉する扉と、
前記筐体の荷重を支える複数の脚と、
前側の前記脚及び前記筐体を接続する接続部材と、
を備え、
前記接続部材が、前記前側の脚が接続された領域及び前記筐体が接続された領域の間に撓み領域を有し、
前記扉のヒンジ軸が前記接続部材の上面に取り付けられており、
前側の前記脚が前記接続部材の下面に接続され、前記筐体の底面が前記接続部材の上面に接続されており、
前記前側の脚が前記ヒンジ軸よりも前側に配置され、
前記接続部材の少なくとも一部が板状の弾性部材からなり、
前記板状の弾性部材において、水平に延びる面部の前側端部から下側へ立ち下がる面部が繋がり、更に前記下側へ立ち下がる面部から前側に水平に延びる面部が繋がる曲げ構造を有し、
前記曲げ構造によって前記撓み領域が形成され、
前記扉に画像表示装置が備えられ、
前記筐体の底面に前記画像表示装置への配線ケーブルが配置されることを特徴とする冷蔵庫。
【請求項２】
前記前側の脚及び前記ヒンジ軸が、上下方向において所定の距離だけ離間するように配置されていることを特徴とする請求項１に記載の冷蔵庫。
【請求項３】
前記前側の脚が前記筐体から下側へ突出する長さを調整する機構を有することを特徴とする請求項１または２に記載の冷蔵庫。
【発明の詳細な説明】
【技術分野】
【０００１】
本発明は冷蔵庫に関し、特に、冷蔵庫の荷重を支える脚の取り付け構造に関する。
【背景技術】
【０００２】
冷蔵庫の扉に新たな機構や装置を備えることは、冷蔵庫の機能を高めるのに有効な手段であるが、それにより扉の重量が増加する可能性がある。この場合、重量が重くなった扉が開けられたとき、扉の回動に伴って冷蔵庫の前側に向かうモーメントが生じ、冷蔵庫の筐体が前側に傾くといった不安定な状態に陥る可能性がある。
このような問題に対処するため、前側の脚が筐体の前面よりも前方に配置された冷蔵庫が提案されている（特許文献１参照）。
【先行技術文献】
【特許文献】
【０００３】
【特許文献１】特開２０１５−８１７１７号公報
【発明の概要】
【発明が解決しようとする課題】
【０００４】
特許文献１に記載された冷蔵庫では、冷蔵庫の前側の脚が冷蔵庫の筐体の前面よりも前方に配置されているので、扉が開けられた静的な状態おいては、冷蔵庫の設置の安定性を保つことができる。しかし、特許文献１に記載された冷蔵庫では、長さの短いブラケットを介して前脚が筐体の底面に取り付けられているので、扉の開閉による急激な荷重変動が生じたとき、その動的な荷重変動が筐体に直接伝わることになる。よって、そのような場合には、冷蔵庫の設置の安定性を欠く状態が生じたり、使用者に不安感を与える状態が生じる可能性がある。
【０００５】
また、前側の脚が筐体の前面よりも前方に配置されているが、扉のヒンジ軸よりは後ろ側に配置されているので、例えば、扉に大きな重量の装置を設置した場合には、扉を開いたときに、扉の回動に伴って冷蔵庫の前側に向かうモーメントが生じ、冷蔵庫の筐体が前側に傾くといった不安定な状態に陥る可能性がある。
【０００６】
従って、本発明の目的は、上記の課題を解決するものであり、扉の開閉による急激な荷重変動が生じた場合であっても、冷蔵庫の設置の安定性が保たれ、使用者に不安感を与えることのない冷蔵庫を提供することにある。
更に、扉に大きな重量の装置を設置した場合であっても、扉を開けたときの筐体の設置の安定性が保たれる冷蔵庫を提供することにある。
【課題を解決するための手段】
【０００７】
本発明は、
前側に開口部を有する筐体と、
前記開口部を開閉する扉と、
前記筐体の荷重を支える複数の脚と、
前記複数の脚のうち、前側に配置される脚と前記筐体とを接続する接続部材と、
を備え、
前記接続部材は、前記前側に配置される脚が接続される領域と前記筐体が接続される領域との間に撓み領域を有することを特徴とする。
【０００８】
本発明によれば、前側の脚及び筐体を接続する接続部材において、前側の脚が接続された領域及び筐体が接続された領域の間に撓み領域を有するので、仮に、扉の開閉によって急激な荷重変動が生じたとしても、撓み領域が撓むことによって、その動的な荷重変動を吸収して、急激な荷重変動が直接筐体に伝わらないようにすることができる。
よって、本発明によれば、扉が急に開けられた場合であっても、冷蔵庫の筐体の設置の安定性が保たれ、使用者に不安を与えるような事態が生じることを防ぐことができる。
【０００９】
また本発明は、
前記前側の脚が前記扉のヒンジ軸よりも前側に配置されていることを特徴とする。
【００１０】
本発明によれば、前側の脚が扉のヒンジ軸よりも前側に配置されているので、例えば、扉に画像表示装置のような大きな重量の装置を設置した場合であっても、扉を開けたときの冷蔵庫の筐体の設置の安定性を保つことができる。
【００１１】
また本発明は、
前記ヒンジ軸が前記接続部材に取り付けられており、前記前側の脚及び前記ヒンジ軸が、上下方向において所定の距離だけ離間するように配置されていることを特徴とする。
【００１２】
本発明によれば、前側の脚及びヒンジ軸が同じ接続部材に取り付けられているので、効率の良いコンパクトな配置が実現できる。更に、前側の脚及びヒンジ軸が、上下方向において所定の距離だけ離間するように配置されているので、前側の脚及びヒンジ軸の間の干渉を懸念することなく、自由な配置が可能であり、よって、デザインの自由度が高まる。
なお、前側の脚は、ヒンジ軸に対して前後方向だけでなく、左右方向にも任意にオフセットして配置することができる。
【００１３】
また本発明は、
前記接続部材の少なくとも一部が板状の弾性部材からなり、
前記板状の弾性部材において、水平に延びる面部から下側へ立ち下がる面部が繋がり、更に前記下側へ立ち下がる面部から水平に延びる面部が繋がる曲げ構造を有し、
前記曲げ構造によって前記撓み領域が形成されることを特徴とする。
【００１４】
本発明によれば、板状の弾性部材における、水平に延びる面部から下側へ立ち下がる面部が繋がり、更に下側へ立ち下がる面部から水平に延びる面部が繋がる曲げ構造によって、撓み領域が形成されるので、十分な撓みストロークを有する撓み領域を得ることができる。よって、扉が急に開けられた場合であっても、冷蔵庫の設置の安定性を十分に保つことができる。
【００１５】
また本発明は、
前記前側の脚が前記筐体から下側へ突出する長さを調整する機構を有することを特徴とする。
【００１６】
本発明によれば、前側の脚が筐体から下側へ突出する長さを調整する機構を有するので、床面の状況に応じて、筐体を安定して設置することができる。特に、前側の脚及びヒンジ軸が、上下方向において所定の距離だけ離間するように配置されている場合には、この空間を利用して、所望の高さの調整代を確保することができる。
【００１７】
また本発明は、
前記扉に画像表示装置が備えられていることを特徴とする。
【００１８】
本発明によれば、冷蔵庫の扉に画像表示装置が備えられているので、冷蔵庫の機能を高めることができる。
【発明の効果】
【００１９】
以上のように、本発明においては、扉が急に開けられた場合であっても、冷蔵庫の設置の安定性が保たれ、使用者に不安を与えることのない冷蔵庫を提供することができる。
更に、扉に大きな重量の装置を設置した場合であっても、筐体の設置の安定性が保たれる冷蔵庫を提供することができる。
【図面の簡単な説明】
【００２０】
【図１】本発明の１つの実施形態に係る冷蔵庫全体の外観を示す模式的な斜視図である。
【図２】本発明の１つの実施形態に係る冷蔵庫の脚の取り付け構造を示す模式的な側面図である。
【図３】冷蔵庫の扉を開けたときの、前側の脚の位置、及び筐体を前側に傾けるモーメントの関係を示す模式図である。
【図４】本発明のその他の実施形態（その１）に係る冷蔵庫の脚の取り付け構造を示す模式的な側面図である。
【図５】本発明のその他の実施形態（その２）に係る冷蔵庫の脚の取り付け構造を示す模式的な側面図である。
【図６】本発明のその他の実施形態（その３）に係る冷蔵庫の脚の取り付け構造を示す模式的な側面図である。
【発明を実施するための形態】
【００２１】
次に、本発明の具体的な実施形態について、図面を参照しながら詳細に説明する。
（本発明の１つの実施形態に係る冷蔵庫の説明）
図１は、本発明の１つの実施形態に係る冷蔵庫全体の外観を示す模式的な斜視図である。はじめに、図１を参照しながら、本発明の１つの実施形態に係る冷蔵庫の概要を説明する。
本実施形態に係る冷蔵庫２は、前側に開口部を有する筐体４と、開口部を開閉する扉６a，６ｂと、筐体４の荷重を支える複数の脚とを備える。本実施形態では、冷蔵庫２は、上扉６ｂ及び下扉６ａの上下２枚の扉を備える。ただし、冷蔵庫２は、これに限られるものではなく、１枚の扉を有する場合や、上下方向に３つ以上の複数の扉を有する場合や、左右方向に複数の扉を有する場合もあり得る。また、冷蔵庫２は、扉だけでなく、引き出し形式の収納箱を有する場合もあり、以上のような構成を任意に組み合わせることができる。
【００２２】
本実施形態では、冷蔵庫２の下扉６ａ及び上扉６ｂのそれぞれに画像表示装置８が取り付けられる。よって、冷蔵庫２は、画像表示装置８を用いて、任意の情報や模様、モチーフ等を表示することができ、更にテレビの映像やインターネットの映像を表示することもできる。これに伴って、音声を発する機能を有することもできる。
本実施形態によれば、冷蔵庫２の扉６ａ，６ｂに画像表示装置８が備えられているので、冷蔵庫２の機能を高めることができる。
【００２３】
上記のように、扉６ａ，６ｂに画像表示装置８を取り付けることにより、冷蔵庫２の機能を高めることができるが、同時に、扉６ａ，６ｂの重量が増加することになる。これに対処するため、本実施形態では、冷蔵庫２は、前側の脚１２及び筐体４を接続する接続部材１４を用いた脚の取り付け構造を備えている。以下においては、下扉６ａの回転軸のそばに位置する前右側の脚１２及び筐体４を接続する接続部材１４を例にとって説明する。この脚の取り付け構造により、画像表示装置８が取り付けられた重い扉６ａ，６ｂが開けられた場合、特に、扉６ａ，６ｂが急に開けられた場合であっても、冷蔵庫２の設置の安定性が保たれるようになっている。この点について、図２から図６を参照しながら、以下に詳細に説明する。
なお、冷蔵庫２の下部には、脚等が見えないようにするキックプレート２０が取り付けられている。
【００２４】
（本発明の各実施形態に係る冷蔵庫の脚の取り付け構造の説明）
次に、図２から図７を参照しながら、本発明の各実施形態に係る冷蔵庫の脚の取り付け構造の説明を行う。
＜１つの実施形態に係る脚の取り付け構造の説明＞
図２は、本発明の１つの実施形態に係る冷蔵庫の脚の取り付け構造を示す模式的な側面図であって、図２（ａ）は、図１の矢印Ａ−Ａから見た脚の取り付け構造を拡大した側面図であり、図２（ｂ）は、図１の矢印Ｂ−Ｂから見た脚の取り付け構造を拡大した側面図である。はじめに、図２を参照しながら、本発明の１つの実施形態に係る冷蔵庫２の脚の取り付け構造を詳細に説明する。
【００２５】
図２（ａ）に示すように、本実施形態では、冷蔵庫２は、前右側の脚１２及び筐体４を接続する接続部材１４を備える。接続部材１４は、平板部１４ａ及び高さ調整部１４ｂを有する。
平板部１４ａは、板状の金属部材からなり、冷蔵庫２の後ろ側から前側に向けて（図面で右側から左側に向けて）、水平に延びる面部から下側へ立ち下がる面部が繋がり、更に前記下側へ立ち下がる面部から水平に延びる面部が繋がる曲げ構造を有している。金属部材としては、炭素鋼、ステンレス鋼、アルミニウムをはじめとする任意の金属を用いることができる。なお、強度的に問題がなければ、金属材料だけでなく、樹脂材料をはじめとする任意の弾性材料を用いることができる。
接続部材１４は、冷蔵庫２の後ろ側の水平に延びる面部において、締結部材１８によって、冷蔵庫２の筐体４の底部と接続される。つまり、後ろ側の水平に延びる面部が、「筐体が接続された領域」（矢印Ｃ参照）になっている。
【００２６】
一方、接続部材１４は、立ち下がり部分によって、高さが低くなった冷蔵庫２の前側の水平に延びる面部の下側に、高さ調整部１４ｂが接続される。高さ調整部１４ｂは、冷蔵庫２の前面側から見た図２（ｂ）に示すように、コの字形の断面形状を有し、下側の水平面にネジ穴が設けられ、そこに前右側の脚１２が取り付けられている。前右側の脚１２は、周囲にネジが設けられたシャフト状のネジ部１２ａと、高さの低い円筒状のベース部１２ｂとから構成され、接続部材１４のネジ部１２ａが高さ調整部１４ｂのネジ孔にねじ込まれて、前右側の脚１２が接続部材１４に取り付けられる。よって、前側の水平に延びる面部が、「前側の脚が接続された領域」（矢印Ｄ参照）になっている。
【００２７】
高さ調整部１４ｂとしては、形鋼を用いることもできるし、板材を接合して形成すること、もできる。材質としては、炭素鋼、ステンレス鋼、アルミニウムをはじめとする任意の金属を用いることができる。なお、強度的に問題がなければ、金属だけでなく、樹脂材料をはじめとする任意の材料を用いることができる。また、下側の床と接する面にゴム部材を取り付けることもできる。これにより、急激な荷重変動の緩和に寄与することができる。
【００２８】
冷蔵庫２は、高さ調整部１４ｂのネジ孔と螺合した前右側の脚１２を回転させることによって、前右側の脚１２の接続部材１４から下側への突出量を変更することができる。つまり、前右側の脚１２が冷蔵庫２の筐体４から下側へ突出する長さを調整することができ、よって、冷蔵庫２の筐体４の高さを調整することができる。
これにより、床面の状況に応じて、筐体４を安定して設置することができる。特に、コの字形の断面形状を有する高さ調整部１４ｂによって、前右側の脚１２のネジ部１２ａの上側に十分な空間が確保されているので、十分な高さの調整代を確保することができる。
【００２９】
なお、上記においては、下扉６ａの回転軸のそばに位置する前右側の脚１２及び筐体４を接続する接続部材１４を例にとって説明したが、脚及び筐体の関係においては、前左側の脚及び筐体４を接続する接続部材についても同様な構造を有する。つまり、前左側の脚及び筐体４を接続する接続部材においても、前左側の脚が接続された領域及び筐体４が接続された領域の間に撓み領域を有している。
前左側の脚が接続した接続部材が、前右側の脚１２が接続した接続部材１４と異なる点は、基本的に、下記に示すヒンジ軸１０が取り付けられていない（ヒンジ軸が存在しない）点だけである。
【００３０】
＜ヒンジ軸の取り付け構造の説明＞
本実施形態では、接続部材１４の平板部１４ａの前側の水平に延びる面部の上面に、冷蔵庫２の下扉６ａを回転させるためのヒンジ軸１０が取り付けられる。ヒンジ軸１０は、上側のシャフト部１０ａ及び下側の面部１０ｂを備え、面部１０ｂの下面が、平板部１４ａの前側の水平に延びる面部の上面に取り付けられる。そして、ヒンジ軸１０のシャフト部１０ａが下扉６ａのヒンジ孔１６の中に挿入される。下扉６ａの上側にも、同様にヒンジ軸及びヒンジ孔が設けられ、上下のヒンジ軸を中心に、下扉６ａが回転する。なお、図２（ａ）においては、ヒンジ孔１６の中にヒンジ軸１０のシャフト部１０ａが挿入されているところを明確に示すため、下扉６ａの下側は部分断面図として示してある。上扉６ｂについても、同様に、扉の上下にヒンジ軸１０とヒンジ孔１６が設けられ、上下のヒンジ軸１０を中心に上扉６ｂが回転する。
【００３１】
図２（ａ）から明らかなように、本実施形態では、前右側の脚１２が下扉６ａのヒンジ軸１０よりも前側に配置される。このような配置により、扉６ａ，６ｂに、例えば、画像表示装置８のような大きな重量の装置を設置した場合であっても、冷蔵庫２の筐体４の設置の安定性を保つことができる。このことについては、図３を用いて、追って詳細に説明する。
【００３２】
また、図２に示すように、ヒンジ軸１０が接続部材１４に取り付けられ、前右側の脚１２及びヒンジ軸１０が、上下方向において所定の距離だけ離間して配置される。
このような構成を採用することによって、冷蔵庫２は、前右側の脚１２及びヒンジ軸１０が同じ接続部材１４に取り付けられるので、効率の良いコンパクトな配置が実現できる。更に、下扉６ａを床面からある程度離れたデザインを採用することができ、前右側の脚１２をヒンジ軸１０との干渉を考慮せず任意の位置に配置できるので、デザインの自由度が高まる。また、前後方向だけでなく、左右方向においても前右側の脚１２を自由に配置できる。
例えば、画像表示装置８への配線ケーブルを、冷蔵庫２の底面に多数配置する必要があった場合でも、任意の位置に前右側の脚１２を配置して干渉を防ぐことができる。
【００３３】
＜接続部材の撓み領域の説明＞
以上のような前右側の脚１２の取り付け構造を有する場合、図２（ａ）に示すように、接続部材１４の筐体４が接続された領域（矢印Ｃ参照）に、冷蔵庫２の筐体４の荷重Ｗ（冷蔵庫の全荷重のうち、前右側の脚が負担する荷重Ｗ）が下向きに作用する（右側の下向きの矢印参照）。また、この荷重Ｗを前右側の脚１２で支えるので、接続部材１４の前右側の脚が接続された領域（矢印Ｄ参照）に、床面から反力Ｗが上向きに作用する（左側の上向きの矢印参照）。
【００３４】
このような接続部材１４の両側にかかる荷重（反力）Ｗにより、接続部材１４には水平梁を下に凸にする場合に相当する曲げモーメントがかかり、図２（ａ）の中央の矢印に示すように、接続部材１４では、前右側の脚１２が接続された領域（矢印Ｄ参照）及び筐体４が接続された領域（矢印Ｃ参照）の間の曲げ構造部分で撓みが生じる。つまり、接続部材１４が、前右側の脚１２が接続された領域及び筐体４が接続された領域の間に撓み領域（矢印Ｅ参照）を有している。
【００３５】
このような構造において、下扉６ａが開けられた場合、下扉６ａの重心位置が筐体４の前面位置から前方離れた位置に動く。つまり、下扉６ａの荷重点が前側に移動して、これが接続部材１４を介して冷蔵庫２の筐体４に伝わり、筐体４を前側に傾けるようなモーメントがかかる。この「筐体を前側に傾けるモーメント」を、以下では、「転倒モーメント」と称する。特に、下扉６ａが急に開けられた場合、下扉６ａの荷重点移動による急激な荷重変動が、接続部材１４を介して冷蔵庫２の筐体４に伝わり、筐体４を前側に傾けるような転倒モーメントが急激にかかることになる。
【００３６】
ここで、  下扉６ａを開けたときに筐体４にかかる転倒モーメントについて、図３を用いて簡単に説明する。図３の上側の図は、下扉６ａが９０度開かれた場合の下扉６ａ及び筐体４の下側を模式的に示した側面図である。ケース１と示された模式図に示すように、下扉６ａの重心位置での荷重をＧ１で示し、下扉６ａが開いたときの前右側の脚１２及び下扉６ａの重心位置の間の距離をＬ１とすれば、Ｇ１×Ｌ１の転倒モーメントがかかる。特に、下扉６ａに画像表示装置８のような大きな重量の装置を設置した場合には、荷重変動が大きく、大きな転倒モーメントがかかることになる。
なお、下扉６ａを開いたときの転倒モーメントについては、図３を参照しながら追って詳細に説明する。
【００３７】
本実施形態では、上記のように、接続部材１４が、前右側の脚１２が接続された領域（矢印Ｄ参照）及び筐体４が接続された領域（矢印Ｃ参照）の間に撓み領域（矢印Ｅ参照）を有しているので、仮に、下扉６ａの開閉によって急激な荷重変動が生じたとしても、撓み領域が撓むことによって、その動的な荷重変動を吸収して、急激な荷重変動が直接筐体４に伝わらないようにすることができる。よって、筐体４に転倒モーメントが急激にかかることを防ぐことができる。
【００３８】
よって、本実施形態によれば、下扉１２が急に開けられた場合であっても、冷蔵庫２の設置の安定性が保たれ、使用者に不安を与えるような事態が生じることを防ぐことができる。
特に、板状の弾性部材である接続部材１４の平板部１４ａにおいて、水平に延びる面部から下側へ立ち下がる面部が繋がり、更に下側へ立ち下がる面部から水平に延びる面部が繋がる曲げ構造によって、撓み領域が形成されるので、十分な撓みストロークを有する撓み領域を得ることができ、よって、下扉６ａが急に開けられた場合であっても、冷蔵庫２の設置の安定性を十分に保つことができる。
なお、本実施形態では、上扉６ｂのヒンジ軸が、下扉のヒンジ軸１０と同軸上に配置されているで、上扉６ｂが急に開けられた場合も、同様な現象が生じる。
【００３９】
＜筐体の転倒を防ぐ構造の説明＞
上記のように、本実施形態では、前右側の脚１２が下扉６ａのヒンジ軸１０よりも前側に配置されているので、下扉６ａに画像表示装置８のような扉に大きな重量の装置を設置した場合であっても、冷蔵庫２の筐体４の設置の安定性を保つことができる。このことについて、図３を用いて詳細に説明する。
図３の上側の図は、下扉６ａが９０度開かれた場合の下扉６ａ及び筐体４の下側を模式的に示した側面図である。そして、ケース１には、前右側の脚１２が、下扉６ａのヒンジ軸よりも後ろ側に配置された従来例を示し、ケース２には、前右側の脚１２が、下扉６ａのヒンジ軸よりも前側に配置された本実施形態を示す。なお、図３では、接続部材１４の記載は省略してある。
【００４０】
下扉６ａが９０度開いたときの重心位置での荷重をＧ１で示し、筐体４の重心位置での荷重をＧ２で示す。ケース１における下扉６ａの重心位置と前右側の脚１２との間の距離をＬ１、筐体４の重心位置と前右側の脚１２との間の距離をＬ２とし、ケース１における前右側の脚１２と本実施形態における前右側の脚１２との間の距離をＸとする。
このとき、前右側の脚１２を中心とした転倒モーメント及び転倒を妨げるモーメントを考えると以下のようになる。
【００４１】
［ケース１］
従来例のケース１では、
（ａ）  開いた下扉６ａによる転倒モーメント＝Ｇ１×Ｌ１
（ｂ）  筐体４の荷重による転倒を妨げるモーメント＝Ｇ２×Ｌ２
である。
よって、開いた下扉６ａによって筐体４が前側に倒れないためには、
（ｃ）  Ｇ１×Ｌ１＜Ｇ２×Ｌ２
の条件を満たす必要がある。従って、筐体４が転倒しないためには、下扉６ａの荷重Ｇ１は、
（ｄ）  Ｇ１＜（Ｌ２／Ｌ１）×Ｇ２
となる必要がある。つまり、扉の荷重Ｇ１は、筐体４の荷重Ｇ２のＬ２／Ｌ１未満である必要がある。
【００４２】
［ケース２］
一方、本実施形態では、
（ａ）  開いた下扉６ａによる転倒モーメント＝Ｇ１×（Ｌ１−Ｘ）
（ｂ）  筐体４の荷重による転倒を妨げるモーメント＝Ｇ２×（Ｌ２＋Ｘ）
よって、開いた下扉６ａによって筐体４が前側に倒れないためには、
（ｃ）  Ｇ１×（Ｌ１ーＸ）＜Ｇ２×（Ｌ２＋Ｘ）
の条件を満たす必要がある。従って、筐体４が転倒しないためには、下扉６ａの荷重Ｇ１は、
（ｄ）  Ｇ１＜［（Ｌ２＋Ｘ）／（Ｌ１ーＸ）］×Ｇ２
となる必要がある。つまり、扉の荷重Ｇ１は、筐体４の荷重Ｇ２の（Ｌ２＋Ｘ）／（Ｌ１ーＸ）未満である必要がある。
【００４３】
筐体４が転倒しないための下扉６ａの荷重Ｇ１は、本実施形態のケース２の場合、従来のケース１に比べて、［（Ｌ２＋Ｘ）／Ｌ２］×［Ｌ１／（Ｌ１−Ｘ）」倍大きくできる。分子にＸを銜えた値［（Ｌ２＋Ｘ）／Ｌ２］と、分母からＸを減じた値［Ｌ１／（Ｌ１−Ｘ）」乗じた値なので、仮にＸの値がＬ１やＬ２に比べて小さな値であっても、それらを乗じた値である［（Ｌ２＋Ｘ）／Ｌ２］×［Ｌ１／（Ｌ１−Ｘ）」は比較的大きな値になることが予想される。
【００４４】
脚がヒンジ軸の後ろ側にある配置では、ヒンジ軸を片持ち梁で支えなければならないので、重い扉を支えるときの強度的に問題が生じる可能性がある。一方、本実施形態のように前右側の脚１２がヒンジ軸１０の前側にある配置では、ヒンジ軸１０を、前右側の脚１２が接続された領域及び筐体４が接続された領域を支持点とする両持ち梁で支えることができるので、重い扉であっても強度的に問題が生じない。
【００４５】
以上のように、下扉６ａに画像表示装置８のような重い装置が設置されていても、本実施形態では、前右側の脚１２がヒンジ軸１０よりも前側に配置されているので、下扉６ａを開いたときの筐体４の設置安定性を従来に比べて大幅に向上させることができる。
なお、「前右側の脚１２がヒンジ軸１０よりも前側に配置されている」ことは、前右側の脚１２の全体（全投影部分）がヒンジ軸１０の全体（全投影部分）よりも前側に配置されている場合だけでなく、少なくとも、前右側の脚１２の荷重点（図３では中心軸）がヒンジ軸１０の回転軸よりも前側に配置されていればよい。
【００４６】
（本発明のその他の実施形態（その１）に係る冷蔵庫の説明）
図４は、本発明のその他の実施形態（その１）に係る冷蔵庫の脚の取り付け構造を示す模式的な側面図である。次に図４を参照しながら、本発明のその他の実施形態（その１）に係る冷蔵庫の概要を説明する。なお、
図４に示す実施形態では、図２に示す実施形態に比べて、接続部材１４の構造が異なり、またヒンジ軸１０が接続部材１４と異なる部材に取り付けられている点で異なる。ただし、その他の部分については、図２に示す実施形態と同様である。よって、ここでは、図２に示す実施形態と異なる点についてのみ説明し、図２に示す実施形態と同様な部分の説明は省略する。
【００４７】
図２に示す接続部材１４の平板部１４aは、曲げ構造の撓み領域を有しているが、図４に示す本実施形態では、接続部材１４の平板部１４aは、折り曲げ構造を有さず、平板形状のままになっている。そして、接続部材１４の前右側の脚１２が接続された領域（矢印Ｄ参照）、及び接続部材１４の筐体４が接続された領域（矢印Ｃ参照）の間に、厚み寸法を両側よりも小さくして（薄くして）たわみ易くした撓み領域（矢印Ｅ参照）を有する。
【００４８】
このような構造により、仮に、下扉６ａの開閉によって急激な荷重変動が生じたとしても、撓み領域が撓むことによって、その動的な荷重変動を吸収して、急激な荷重変動が直接筐体４に伝わらないようにすることができる。
【００４９】
撓み領域の厚み寸法を小さくする代わりに、またはそれに加えて、撓み領域の幅寸法を小さくしたり、切り欠きや貫通穴を設けて、弾性係数を低くすることも考えられる。
【００５０】
なお、本実施形態では、厚みが連続的に薄くなった曲線的な形状になっているが、厚みがステップ状に薄くなった形状を採用することもできる。厚み寸法については、荷重条件、平板部１４ａの材質等を考慮して、十分な撓みストロークが取れるように定めることが好ましい。また、撓み領域の厚み寸法を小さくする代わりに、または撓み領域の厚み寸法を小さくすることに銜えて、撓み領域だけ両側の領域よりも低い弾性係数の材料を用いることもできる。
【００５１】
また、本実施形態では、ヒンジ軸１０が、接続部材１４とは異なる別部材であるブラケット２２に取り付けられている。このブラケット２２は、締結部材１８’により冷蔵庫２の筐体４の前側の側面に取り付けられている。ただし、これに限られるものではなく、図４に示す接続部材１４の平板部１４aの上面にヒンジ軸１０を設置することもできる。
【００５２】
（本発明のその他の実施形態（その２）に係る冷蔵庫の説明）
図５は、本発明のその他の実施形態（その２）に係る冷蔵庫の脚の取り付け構造を示す模式的な側面図である。次に、図５を参照しながら、本発明のその他の実施形態（その２）に係る冷蔵庫の概要を説明する。
図５に示す実施形態では、図２に示す実施形態に比べて、接続部材１４の構造が異なり、またヒンジ軸１０が接続部材１４と異なる部材に取り付けられている点で異なる。ただし、その他の部分については、図２に示す実施形態と同様である。よって、ここでは、図２に示す実施形態と異なる点についてのみ説明し。図２に示す実施形態と同様な部分の説明は省略する。
【００５３】
図２に示す接続部材１４の平板部１４aは、曲げ構造の撓み領域を有しているが、図４に示す本実施形態では、折り曲げ構造を有さず、図３に示す実施形態と同様に、基本的に平板形状になっている。そして、接続部材１４の前右側の脚１２が接続された領域（矢印Ｄ参照）、及び接続部材１４の筐体４が接続された領域（矢印Ｃ参照）の間に、撓み手段２４からなる撓み領域（矢印Ｅ参照）を有する。
【００５４】
撓み手段２４は、十分な撓みが生じてもとの状態に戻る機能を有する機構や材料から構成される。撓み手段２４は、例えば複数のコイルバネや複数の板バネを組み合わせて形成してもよく、空気のような圧縮性流体を変形可能な部材に封入して形成してもよい、また非圧縮性流体を用いたダンパー機構を用いて形成してもよい。なお、撓み手段２４は、このような例示に限られるものではなく、十分な撓みストロークが取れて、もとの状態に戻る機能を有するものであれば、その他の任意の機構や材料を用いることができる。
【００５５】
撓み手段２４により、仮に、下扉６ａの開閉によって急激な荷重変動が生じたとしても、撓み領域が撓むことによって、その動的な荷重変動を吸収して、急激な荷重変動が直接筐体４に伝わらないようにすることができる。
【００５６】
なお、図４に示す実施形態と同様に、本実施形態では、ヒンジ軸１０がブラケット２２に取り付けられる。ブラケット２２は、締結部材１８’により冷蔵庫２の筐体４の前側の側面に取り付けられる。ただし、これに限られるものではなく、図５に示す接続部材１４の平板部１４aの上面にヒンジ軸１０を設置することもできる。
【００５７】
（本発明のその他の実施形態（その３）に係る冷蔵庫の説明）
図６は、本発明のその他の実施形態（その３）に係る冷蔵庫の脚の取り付け構造を示す模式的な側面図である。次に、図６を参照しながら、本発明のその他の実施形態（その３）に係る冷蔵庫の概要を説明する。なお、
図６に示す実施形態では、図２に示す実施形態に比べて、接続部材１４が高さ調整部１４ｂを有さない点で異なり、その他の部分については、図２に示す実施形態と同様である。よって、ここでは、図２に示す実施形態と異なる点についてのみ説明し、図２に示す実施形態と同様な部分の説明は省略する。
【００５８】
図２に示す接続部材１４では、平板部１４aの前側の水平な面部の下側に高さ調整部１４ｂが取り付けられているが、図６に示す本実施形態では、高さ調整部１４ｂが取り付けられておらず、代わりに、平板部１４aの前側の水平な面部に、前右側の脚１２が螺合するネジ孔が設けられている。これにより、高さ調整部１４ｂのような大きな高さ調整代は取れないが、所定の高さ調整機能を有することができる。
【００５９】
図２に示す実施形態と同様に、曲げ構造による撓み領域（矢印Ｅ参照）を有するので、仮に、下扉６ａの開閉によって急激な荷重変動が生じたとしても、撓み領域が撓むことによって、その動的な荷重変動を吸収して、急激な荷重変動が直接筐体４に伝わらないようにすることができる。
【００６０】
以上のように、上記の何れの実施形態においても、前側の脚１２及び筐体４を接続する接続部材１４において、前側の脚１２が接続された領域及び筐体４が接続された領域の間に撓み領域を有するので、仮に、下扉６ａ扉の開閉によって急激な荷重変動が生じたとしても、撓み領域が撓むことによって、その動的な荷重変動を吸収して、その急激な荷重変動が直接筐体４に伝わらないようにすることができる。よって、下扉６ａが急に開けられた場合であっても、冷蔵庫２の設置の安定性が保たれ、使用者に不安を与えるような事態が生じることを防ぐことができる。
【００６１】
また、何れの実施形態においても、前側の脚１２が下扉６ａのヒンジ軸１０よりも前側に配置されているので、例えば、画像表示装置８のような大きな重量の装置を下扉６ａに設置した場合であっても、冷蔵庫２の筐体４の設置の安定性を保つことができる。
なお、上記の実施形態では、接続部材１４が、冷蔵庫２の筐体４の底面に取り付けられているが、これに限られるものではなく、例えば、筐体４の前側の側面や横側の側面に取り付けられる場合もあり得る。
【００６２】
特に、図２及び図６に示す実施形態によれば、板状の弾性部材である接続部材１４において、平板部１４ａの水平に延びる面部から下側へ立ち下がる面部が繋がり、更に下側へ立ち下がる面部から水平に延びる面部が繋がる曲げ構造によって、撓み領域が形成されるので、十分な撓みストロークを有する撓み領域を得ることができる。よって、下扉６ａが急に開けられた場合であっても、冷蔵庫２の設置の安定性を十分に保つことができる。また、前右側の脚１２及びヒンジ軸１０が同じ接続部材１４に取り付けられているので、効率の良いコンパクトな配置が実現できる。
【００６３】
更に、図２、図４及び図５に示す実施形態のように、前右側の脚１２及びヒンジ軸１０が、上下方向において所定の距離だけ離間している場合には、前右側の脚１２及びヒンジ軸１０の間の干渉を懸念することなく、自由な配置が可能なので、デザインの自由度が高まる。
【００６４】
また、何れの実施形態においても、前側の脚１２が筐体４から下側へ突出する長さを調整する機構を有するので、床面の状況に応じて、筐体４を安定して設置することができる。
特に、図２、図４及び図５に示す実施形態のように、前右側の脚１２及びヒンジ軸１０が、上下方向において所定の距離だけ離間して配置される場合には、この空間を利用して、所望の高さの調整代を確保することができる。  
【００６５】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００６６】
２        冷蔵庫
４        筐体
６        扉
６ａ      下扉
６ｂ      上扉
８        画像表示装置
１０      ヒンジ軸
１０ａ    シャフト部
１０ｂ    面部
１２      前右側の脚
１２ａ    ネジ部
１２ｂ    ベース部
１４      接続部材
１４ａ    平板部
１４ｂ    高さ調整部
１６      ヒンジ孔
１８、１８’  締結部材
２０      キックプレート
２２      ブラケット
２４      撓み手段
【図１】
0006609424.tif 000002
【図２】
0006609424.tif 000003
【図３】
0006609424.tif 000004
【図４】
0006609424.tif 000005
【図５】
0006609424.tif 000006
【図６】
0006609424.tif 000007